(57)【要約】【課    題】  フェンスが側溝を跨いで設置された場合であっても、側溝からフェンスの下を通り抜けることを不可能にする防獣用フェンスのフェンス体を提供すること。【解決手段】  防獣用フェンスにおける側溝Ｔを跨いだフェンス体Fb，Fb′の下部に、道路や線路の本線側には開動作しないが反対側（民地側）には開動作をするトラップ体11，11′を設けて、前記側溝Ｔ内を通って小動物が民地側から道路等の本線側に進入できないようにしたこと。【選択図】    図９
2005000175.tif 000002
【特許請求の範囲】
【請求項１】
防獣用フェンスにおける側溝を跨いだフェンス体の下部に、道路や線路の本線側には開動作しないが反対側（民地側）には開動作をするトラップ体を設けて、前記側溝内を通って小動物が民地側から道路等の本線側に進入できないようにしたことを特徴とする防獣用フェンスのフェンス体。
【請求項２】
設置したフェンスが側溝を斜めに跨いでいる場合には、設置フェンスの下端部に斜めに横断した側溝をその上面から塞ぐ天蓋部材を設け、この天蓋部材の前端辺を側溝と直交するように形成して、天蓋部材の前端部に、トラップ体を設けた請求項１の防獣用フェンスのフェンス体。
【請求項３】
トラップ体は、側溝を跨いで設けたほぼ門型をなす取付脚体に取付けて配置した請求項１又は２の防獣用フェンスのフェンス体。
【発明の詳細な説明】
【技術分野】
【０００１】
本発明は、山間部や丘陵地帯などに敷設されている鉄道、自動車道に沿って設置するフェンスに関し、線路や道路内に人や小動物が侵入するのを効果的に防止できる防獣フェンスのフェンス体に関する。
【背景技術】
【０００２】
従来より、山間部などを走る高速道路や鉄道路線に対しては、安全上、その他の観点から道路や路線内にキツネ，タヌキ，イノシシ等の獣類や小動物、或は、人が侵入することがないように、ネット状に編成した金網を使用した侵入防止フェンスが防獣用フェンスとして設置されている。
【０００３】
しかし、ネット状に編成した金網を主体に形成した防獣用フェンスは、型鋼などの材料で矩形状をなすフレームを作り、このフレームに編成金網を張設してフェンス体に形成し、これを支柱に取付けることにより防獣用フェンスとしているため、設置場所が凹凸面や傾斜面である山間部では、フェンス体の下端縁と地上面の間に大小様々な隙間が生じ、この隙間が獣、特に、タヌキ等の小動物の侵入防止には殆んど役立たないことが指摘されている。また、フェンス体がＵ字溝などによる側溝を跨いで設置されると、この側溝から小動物が侵入するので、その対策を必要としている。
【０００４】
なお、上記のような隙間や側溝がなくても、編成金網を使用したフェンスでは、その網の目に手や爪を引掛けて小動物がフェンスを乗り超えたり、或は、フェンスの下に地面を掘ってそこからフェンスの内側へタヌキ等の小動物が侵入することが知られており、この点でも問題である。
【０００５】
従来、上記のような問題点に鑑み、小動物の手掛かりにならないように別製した鋼棒製の溶接フェンスを既設の編成フェンス体に重ねて設置したり、フェンスの下部の隙間を塞ぐために別製したフェンス体を後付け工事により取付けるなどの対策が採られているが、このような対策では設備コストが高くなるのみならず、前記問題の根本的な解決には至っていない。
【発明の開示】
【発明が解決しようとする課題】
【０００６】
本発明は上記のような従来の防獣用フェンスの現状に鑑み、フェンスが側溝を跨いで設置された場合であっても、側溝からフェンスの下を通り抜けることを不可能にする防獣用フェンスのフェンス体を提供することを、その課題とするものである。
【課題を解決するための手段】
【０００７】
上記課題を解決することを目的としてなされた本発明の構成は、防獣用フェンスにおける側溝を跨いだフェンス体の下部に、道路や線路の本線側には開動作しないが反対側（民地側）には開動作をするトラップ体を設けて、前記側溝内を通って小動物が民地側から道路等の本線側に進入できないようにしたことを特徴とするものである。
【０００８】
本発明は、上記構成において、設置したフェンスが側溝を斜めに跨いでいる場合には、設置フェンスの下端部に斜めに横断した側溝をその上面から塞ぐ天蓋部材を設け、この天蓋部材の前端辺を側溝と直交するように形成して、天蓋部材の前端部に、トラップ体を設けた構成にすることもできる。また、トラップ体は、側溝を跨いで設けたほぼ門型をなす取付脚体に取付けて配置することもある。
【発明の効果】
【０００９】
本発明は、側溝を跨いで防獣フェンスが設けられる場合に、その側溝に道路や鉄道の本線側には開けられないようにしたトラップ体を設けて、小動物が側溝を通って本線側に入るのを防止するように形成するので、小動物が本線側に入り込むのをより効果的に防止することができることとなる。
【発明を実施するための最良の形態】
【００１０】
次に、本発明に用いるフェンスの設置工法とその工法により設置した防獣フェンス、並びに、そのためのフェンス体に関する実施の形態例について、例を挙げて図に拠り説明する。図１は本発明に用いる防獣フェンスのフェンス体の一例の正面図、図２は図１のフェンス体を本発明に用いる防獣フェンスの一例として設置した例の要部の正面図、図３は図２の本発明に用いる防獣フェンスの左側面図、図４は上記フェンスの設置工法を既設のネットタイプのフェンスに適用した一例の要部の斜視図、図５は図４のフェンスに使用した「忍び返し」の一例の斜視図、図６は上記フェンスの設置工法を既設のネットタイプのフェンスに適用する別例の要部の斜視図、図７は本発明に用いる他の例のフェンス体を本発明に用いる防獣フェンスの例に設置した要部の正面図、図８は本発明に用いる防獣フェンスが側溝と直角をなして設置された例の平面図、図９は図８の設置フェンスが横断した側溝にトラップ体を設けた状態の正断面図、図10は図９の右側面図、図11は本発明に用いる防獣フェンスが側溝を斜めに横断して設置された一例の平面図、図12は図11の本発明に用いるフェンスにトラップ体を設けた例の正断面図、図13は本発明に用いる防獣フェンスが側溝を斜めに横断した別例の平面図、図14は図13の防獣フェンスに対して設けたトラップ体の例の正断面図である。
【００１１】
まず、図１において、Fbは正面から見た外形が長方形状をなすフェンス体で、ここでは一例として次のように構成されている。即ち、１は前記フェンス体Fbの縦メンバで、図１の例では４mmφの太さで長さが1525mmの鋼棒を、ほぼ50mm間隔で縦向きに平行に並べ、その全体が、このフェンス体Fbの正面幅をなすように、例えば1500〜2000mm程度になるように配置される。実際には、後述する支柱の芯々間距離が2000mmの設計の場合、フェンス体Fbの幅は2100〜2150 mm程度に形成する。本発明に用いるフェンス体Fbの正面幅は、使用する縦メンバ１の数量により、任意の幅に形成できる。具体的には、設置場所で凹凸状況や傾斜状況により設置される支柱間の距離の種類に見合う幅、或は、運搬等の便宜を考えると、500〜3000mm程度の適宜幅であることが実用的である。
【００１２】
２は、上記において縦向きに平行に並べられることにより全体が1500〜2000mm程度の幅に配置された縦メンバ１に対して、その上面に、横向きに配置した横メンバで、図の例では太さが６mmφ、長さが、並べた前記縦メンバ１の全体の幅と同等乃至は少し長い1500余〜2000余mmの鋼棒の２本を略50〜75mmの間隔で平行に並べたものを一組の横メンバとし、上記で並べた縦メンバ１の上に、ここでは縦メンバ１の上端部から順に約400mmのピッチで４組を配置すると共に、最下の横メンバ２の上，下に、それぞれ１本の鋼棒をサブ横メンバ21，22として配置し、各メンバ１，２、21，22を、それらの各交点において、溶接により固着することにより、図１に示す正面形態のフレームレスのフェンス体Fbに形成されている。
【００１３】
ここで、前記の各横メンバ２，同21，22は、４〜10mmφの太さの鋼棒の中から、設置場所の環境等を考慮して使用する鋼棒の太さを選択するが、通常は６〜８mmφの中から選択する。また、２本１組の横メンバ２は、３本の鋼棒で形成してもよく、また各横メンバ２の縦メンバ１の上での配置間隔も400mm以上の例えば500mm程度とすることもある。上記例において配置間隔を500mmとした場合には、２本１組の横メンバ２は縦メンバ１の上に３組配置されることになる。ここでは、横メンバ２は縦メンバ１と同等又は太い鋼棒を使い、しかも、それを２〜３本を１組とする使用態様とするのは、フェンス体Fbをフレームレス形式とし、フレームレスであってもフェンス体全体の強度を上げると共に、縦メンバ１の上端部の横メンバ２に、従来フェンスの胴縁に代わる機能を持たせるためである。
【００１４】
図１に示すフェンス体Fbは、太さが４〜６mmφの縦メンバ１と４〜10mmφの横メンバ２とサブ横メンバ21，22により形成されていると共に、縦メンバ１と横メンバ２により形成される縦長の窓（スリット）３は、芯々間の大きさで約50mm×400mmの大きさであるから、小動物がこのスリット３から抜けられないことは勿論、このスリット３における縦メンバ１のスパンは、４〜６mmφの鋼棒で400mmあるから、人手によっても曲げることは殆んど不可能乃至は困難、つまり、スリット３の横幅を拡開することは困難であり、従って、小動物がこれを変形させて反対側に抜け出すことは事実上あり得ず、また、人であってもスリット３を変形させて通り抜けることは勿論不可能である。
【００１５】
また、上記のフレームレスのフェンス体Fbは、各スリット３の長さが、この例では400mmであるから、下方の横メンバ２やサブ横メンバ21，22に小動物が手や爪を引掛けても、それらの上に位置した横メンバ２に手や爪が届かず、従って、このフェンス体Fbを小動物がよじ登ることは出来ない。
【００１６】
上記フェンス体Fbの下部は、最下の横メンバ２の上，下にサブ横メンバ21，22が設けられているので、この部分のスリット31，32は、上下スパンが前記スリット３よりも小さく、しかも、各メンバ21，22とは溶接で固定されているので、フェンス体Fbの下部の強度は一段と強化されている。
【００１７】
上記のように形成される本発明に用いるフェンス体Fbは、例えば山間部に通された鉄道や自動車道に沿って、防獣用フェンスとして設置されるが、フェンスの下部の地面を掘って侵入して来る小動物の侵入を防ぐため、フェンス体Fbの下方手前側の地表に網目シート４を貼設するようにしている。この点について、図２，図３により説明する。
【００１８】
まず、図１のフェンス体Fbを、その一枚の幅を、支柱間隔の単位として複数の支柱５を地上Ｇに立設する（図２，図３参照）。この支柱５自体の構造やその立設基礎６は、従来フェンスの場合と略同様である。本発明に用いるフェンスは、立設した各支柱５の路面（鉄道又は道路）側を前面にし、この前面に、前記フェンス体Fbを、その横メンバ２を外面（縦メンバ１を支柱５の前面に対向させる）に向けて、各フェンス体Fbの両端部を重ねて支柱５に当てがい、各支柱５の前面で重なった２枚のフェンス体Fbの端部を、ここでは各横メンバ２における２本の平行な鋼棒の間に、いわゆるＵボルトや金属ベルトなどによる止め金具７を夫々に配置し、Ｕボルトの場合には各ボルトを締付け、各フェンス体Fbを各支柱５に固定して取付けする。
【００１９】
上記のようにして各支柱５にフェンス体Fbが取付けられるとき、各フェンス体Fbの縦メンバ１の下端1aが地表Ｇに少し食い込むが、下端1aの地表食い込みの際、フェンス体Fbの手前側（道路，線路から見て外側）に、網目シート４を配置し、このシート４の先端側を前記フェンス体Fbの縦メンバ１の下端1aで押える一方、該シート４の後端側、及び、その他適宜の位置に、ペグ状のアンカー８を打込んで前記シート４を地表Ｇに固定する。網目シート４をこのようにして設けると、フェンス体Fbの下端近傍が網目シート４にカバーされるので、該シート４の部分の地表を小動物が掘ることはできない。
【００２０】
上記の各フェンス体Fbは、鋼棒により形成する４〜６mmφの縦メンバと４〜10mmφの横メンバの組合せにより多数の縦長のスリット３がいわば網目として形成されるので、フレームレスであってもフェンス体全体としての強度が大きいこ従って、このフェンス体Fbを積雪地に設置した場合でも、各スリット３から雪が抜け易くて雪の詰まりが少ない。これにより、このフェンス体Fbを使用した防獣用フェンスは、積雪による斜面雪圧、受動雪圧からなる雪圧と積もった雪がもたらす沈降力を受け難く、また、受けたとしても各フェンス体Fbが全体で分散して受け止めるため、前記雪圧などによって防獣用フェンスが変形することは殆んどない。
【００２１】
また、上記フェンス体Fbの例では、上から３番目と４番目の横メンバ２の間に１本のサブ横メンバ21を配置すると共に、最下の横メンバ２の下方に約90〜100mmの間隔でサブ横メンバ22を配置して、交叉した縦横のメンバを溶着しているので、フェンス体Fbの下方部の網目が小さくなり、フェンス下部の強度を全体として高めることができる。
【００２２】
以上に説明した実施例は、鋼棒による縦，横メンバを溶接して形成した構造のフェンス体Fbを使用して本発明に用いる防獣用フェンスを形成した例であるが、既設の編成金網によるフェンス体を使用して設けられている防獣用フェンスにも適用できるので、以下にこの点について図４により説明する。
【００２３】
図４は、既設の防獣用フェンスに上記設置工法を適用した一例を示す斜視図で、図４において図１〜図３と同一符号は同一部材、同一部位を示すものとする。図４において、支柱５に取付けられた編成金網による各フェンス体Fb′は、その上下端部に胴縁23，24を具備している。そして下部の胴縁24と地表の間には、通常５〜10cm程度の隙間ｇが形成されているので、小動物はこの隙間ｇをくぐって道路，線路側へ侵入することが知られている。
【００２４】
そこで、ここでは、各フェンス体Fb′の手前側（山側）であって各フェンス体Fb′の下部の地上に、網目シート４を配置するようにした。この網目シート４の配置においては、当該シート４の先端側41によって前記フェンス体Fb′と地表の間の隙間ｇを塞ぐことができるように、網目シート４の先端側を、一例として約10cm程度の幅で約90度立上げ、この立上げた先端部41を各フェンス体Fb′の下端、或は、下方の胴縁24に止め付けた。また、この網目シート４の水平部分は、上記例におけるアンカー８のような係止部材により地表に固定した。
【００２５】
網目シート４の上記取付態様によって、既設フェンスにおける下部の隙間ｇを略完全に塞ぐことができるのみならず、フェンスの手前側30〜100cm程度の地表面をこの網目シート４によって覆うから、タヌキ等の小動物がフェンス下部の手前側を堀ってフェンス内に侵入したり、フェンス下部と地表の隙間ｇからフェンス内に侵入することを、ほぼ完璧に防ぐことができる。
【００２６】
なお、編成金網に上，下の胴縁を有する既製フェンス体を使用するときの適用形態としては、図６に例示するように、フェンス体Fb′を支柱５に取付ける際、下部の胴縁24を下方にずらし（このフェンス体Fb′は、ネット状の編成金網を使用しているので、金網を胴縁24ごと下方へ引張ることにより、このフェンス体Fb′の下位の胴縁24を支柱５の上で５cm程度或はそれより大きく下げることができる）、胴縁24と地表Ｇとの隙間ｇを５cm以下程度にして支柱５に取付けた上で、上記の網目シート４を敷設固定するようにしてもよい。この施工形態をとれば、網目シート４の前端側を立上げてフェンス体Fb′に固定する必要がなくなり、しかも、大抵の小動物は縮小された隙間ｇをくぐり抜けることができなくなり、また、フェンスの手前側を掘ることも不能になる。
【００２７】
既設の防獣用フェンスに上記工法を適用する場合において、使用されるフェンス体が図４に例示したような編成金網によるフェンス体Fb′であると、その網目に小動物がその手や指、或は、爪を引掛けてフェンスをよじ登りフェンス内（線路，道路側）に侵入する小動物がいる。この点を改善するため、ここでは既設フェンスに使用したフェンス体Fb′が編成金網によるフェンス体であるときは、このフェンスの上部の山側に、図４，図５に例示するような形態の「忍び返し」８を取付ける。
【００２８】
図４，図５に示した忍び返し８は、プラスチック板又は金属板により、断面がほぼ倒立したＪ字状をなし、長さ（左右幅）が支柱５，５間の距離に見合う、約２ｍ程度に形成されている。この忍び返し８は、金属板製の場合には、上，下の端面をハゼ折り状に折返し部81，82に形成して取扱い時に尖鋭な端面でケガなどしないようにしている。また、長さ方向に関しては、フェンスの上下方向に沿って形成した凹溝又は凸状によるリブ83により強度を確保している。84は、左右両端に設けた取付用の横長穴である。
【００２９】
次に、上記において、フェンス体が編成金網により形成される既設の又は新設の防獣フェンスにおいて、小動物がその網目を足掛かり、手がかりとしてよじ登ることを防止するための、先の図４，図５に示したように「忍び返し８」を設ける例を説明したが、この「忍び返し８」に代え、或は、これと併用して図７に例示した形態の手掛かり防止板９を設けることもできるので、以下に説明する。なお、図７において、図４〜図６と同一符号は同一部材，同一部位を示すものとする。
【００３０】
図７の既設フェンスに使用したフェンス体Fb′は、編成金網であるため、小動物が網目を手掛かりにしてフェンスをよじ登ったり、下部の隙間ｇから本線（道路又は線路）側へ侵入することがあることは先にも述べた通りである。そこでここでは、フェンス体Fb′に、金属製又はプラスチック製或はこれらの複合体製の上下幅が40〜50cm程度の帯状をなす手掛かり防止板９を、一例としてその下辺が前記フェンス体Fb′の地上高さ60cm程度に位置するようにして各フェンス体Fb′ごとに取付けたのである。なお、猿などのように跳び上がることができる小動物のよじ登りを防止するに、前記防止板９の上，下幅を、上方側に拡張したり、よじ登り防止板９の設置位置を高くすることがある。
【００３１】
このようにすると、小動物がフェンス体Fb′の前で立上がっても、立上がった小動物の手（脚）が届く範囲には、手掛かりになる穴や凹凸のないプレーンな面の手掛かり防止板９があるので、従来の編成金網によるフェンス体Fb′のように網目に手を掛けてフェンスをよじ登ることを効果的に防ぐことができる。図７において、9aは金網に止着される脚を持ち、前記防止板９に設けた取付穴を通して当該防止板９をフェンス体Fb′の前面（山側又は民地側）に取付けるための取付具、9bはこの取付具9aを支柱５に取付けるための締付金具である。
【００３２】
また、図７の既設フェンス体Fb′の下部に、隙間ｇがある場合に対しては、図１，図２に例示した本発明に用いるフェンス体Fbと同じ要領で鋼棒による縦，横メンバを、全体の外形が横長帯状をなすように溶接して形成した格子帯10をフェンス体Fb′の下部に取付け、必要に応じてこの格子帯10の下辺側の櫛歯状部分を地中に突刺すことにより、前記隙間ｇを塞ぐようにしてもよい。なお、上記隙間ｇは、その他の金網、コンクリート打設，地盤硬化改良などにより、その隙間ｇを埋めてしまうようにすることもある。
【００３３】
上記において、手掛かり防止板９は、水平方向に曲面による波線を入れたり、本線側の面にリブを入れることなどによって強度を高めたり、或は、本線側の面を着色したり、適宜の文字などを記入することにより、本線側に対する適宜の表示面として利用することも可能である。
【００３４】
上記のように、例えば山間部を通る幹線道路や鉄道線路に対する防獣フェンスとして設置される本発明に用いるフェンスは、その設置場所の地形などにより、本線に沿う形態で設けられる主として排水用の側溝を跨ぐ形で設けられることも多い。
【００３５】
このように側溝を跨ぐ形で上記のような防獣フェンスが設けられると、上述した種々の対策を施したフェンスであっても、跨いだ側溝の中を通って小動物はフェンスの内外を自由に往来できることとなり、防獣フェンス設置の意義が半減する。
【００３６】
そこで本発明では、防獣フェンスが側溝を跨いで設けられた場合には、図８〜図14により説明するように、本発明に用いる防獣フェンスと連繋作用させるトラップ体を側溝に設けることによって側溝から小動物が本線側に進入することが出来ないようにしたので、以下にこの点について、図８〜図14を参照しつつ説明する。図８〜図14においても、図１〜図７と同一符号は同一部材又は同一部位を示すものとする。
【００３７】
まず、図８〜図10に示すように、本発明に用いるフェンス体Fbが側溝Ｔをほぼ直交して跨いだ場合には、このフェンス体Fbの下部における側溝Ｔの略真上に、この側溝Ｔの断面を少しの隙間を残して塞ぐトラップ体11を、当該フェンス体Fbの民地側（非本線側）の面に吊下形態で設けるのである。11aはこのトラップ体11の上端辺をフェンス体Fbにヒンジ吊下するための取付ヒンジである。
【００３８】
トラップ体11をこの取付態様で設けると、図10に示すように、トラップ体11が本線側（図10の右方）に開くことは不能であるが、民地側（図10の左方）には取付ヒンジ11aの作用で持上がるように可動であるから、小動物が側溝Ｔを通って民地側から本線側へ通り抜けることはできない。なお、ゴミや落葉等はトラップ体11の下辺と側溝Ｔの底の間の隙間から図10の左右いずれの側へも流動可能であるが、トラップ体11の開く側が側溝Ｔの下流側であれば、たまった落葉などは雨水流によって開かれるトラップ体11の部分から下流側へ容易に流される。また、トラップ体11を持上げて垂直姿勢に開けば、側溝Ｔの清掃の邪魔にもならない。
【００３９】
上記のトラップ体11は、図示しないが２mm厚程度のスチロール等の発泡板の両面を0.5mm厚程度のアルミ板で挟むサンドイッチ構造の板材により形成すると、小動物の爪や歯などによっては容易に損壊されない一方、カッターナイフ等の軽便な工具で任意の大きさ，形状に容易に切断できるので、フェンス設置現場において、側溝断面の大きさに合わせた所定形状に容易に形成できる利点がある。また、このトラップ体11は、鋼棒の溶接網に比べるとはるかに軽量であるから取扱いに便利であり、また水流を受けると容易に開放される。なお、上記のトラップ体11を形成する板材は、先に説明したよじ登り防止板９の材料として用いることもできる。
【００４０】
他方、フェンス体Fbが側溝Ｔに対し斜めに横断する形で設けられる場合には、図11，図12に例示する態様、或は、図13，図14に例示する態様により、側溝Ｔを塞ぐ対応をする。
【００４１】
フェンス体Fbが側溝Ｔを斜めに横断する形で跨いでいる場合には、そのフェンス体Fbに図８〜図10により説明した取付態様でトラップ体11をフェンス体Fbに直に吊下することはできない。トラップ体11の開き動作が側溝Ｔの側壁と干渉して開けられないからである。このため本発明では、図11に例示したように、トラップ体11を側溝Ｔに対して直交する向きで取付けるために、網状の天蓋部材12をフェンス体Fbの民地側（図11では図の下方）の下部に設け、この天蓋部材12において側溝Ｔと直交する前端に、側溝Ｔに対してトラップ体11を一方向にのみ開放動作可能に設けた。
【００４２】
本発明では、図11におけるトラップ体11は、図12に例示するような、正面から視て略門型をなす取付ゲート体13を用いて側溝内で一方向にのみ開放動作可能に設ける。即ち、取付ゲート13は、側溝Ｔを跨いで地中に突刺される左，右の脚部13aと、取付ヒンジ11aを取付けるため両脚13aの上端を繋ぐように設けた梁部13bと、この梁部13bの下方に当該梁部13bと平行に設けたストッパ部13cとにより形成され、梁部13bに取付ヒンジ11aを介して吊下されたトラップ体11を、ストッパ部13cの作用によって民地側へは開放可能であるが、本線側へは開けられないように支持するのである。
【００４３】
図13，図14は、図11，図12に示した例と同様にフェンス体Fbが側溝Ｔを跨いだ場合の例であるが、図13，図14では使用するトラップ体11を、先の例のボード体ではなく、網状体により形成したトラップ体11′を用いた例である。この例では、取付ヒンジ11a′に、金属線をコイル状に巻いたヒンジ11a′を用いている。なお、図13，図14において、図11，図12と同一符号は同一部材，同一部位を示すものとする。
【産業上の利用可能性】
【００４４】
本発明は以上の通りであって、本発明では、側溝を跨いで防獣フェンスが設けには、その側溝に道路や鉄道の本線側には開けられないようにしたトラップ体を設けて、小動物が側溝を通って本線側に入るのを防止するように形成したので、上記の小動物のよじ登り阻止機能と相俟って小動物が本線側に入り込むのをより効果的に防止することができることとなる。
【００４５】
上述のように、本発明の側溝を跨いだフェンス体には、トラップ体を設けて側溝を通った侵入を防止するから、既設フェンス，新設フェンスを問わず、側溝からの侵入を阻止することができ、また、フェンスのよじ登りの阻止と、設置したフェンスによる防獣性を組合わせて用いれば、ほぼ完璧なものとすることができ、従って、防獣用フェンスのフェンス体としてきわめて有用である。
【図面の簡単な説明】
【００４６】
【図１】本発明に用いる防獣フェンスのフェンス体の一例の正面図。
【図２】図１のフェンス体を本発明に用いる防獣フェンスの一例として設置した例の要部の正面図。
【図３】図２の本発明に用いる防獣フェンスの左側面図。
【図４】フェンスの設置工法を既設のネットタイプのフェンスに適用した一例の要部の斜視図。
【図５】図４のフェンスに使用した「忍び返し」の一例の斜視図。
【図６】フェンスの設置工法を既設のネットタイプのフェンスに適用する別例の要部の斜視図。
【図７】本発明に用いる他の例のフェンス体を本発明に用いる防獣フェンスの例に設置した要部の正面図。
【図８】本発明に用いる防獣フェンスが側溝と直角をなして設置された例の平面図。
【図９】図８の設置フェンスが横断した側溝にトラップ体を設けた状態の正断面図。
【図１０】図９の右側面図。
【図１１】本発明に用いる防獣フェンスが側溝を斜めに横断して設置された一例の平面図。
【図１２】図11の本発明に用いるフェンスにトラップ体を設けた例の正断面図。
【図１３】本発明に用いる防獣フェンスが側溝を斜めに横断した別例の平面図。
【図１４】図13の防獣フェンスに対して設けたトラップ体の例の正断面図。
【符号の説明】
【００４７】
１，        縦メンバ
２          横メンバ
21，22      サブ横メンバ
23，24      上，下の胴縁
３          スリット
４          網目シート
５          支柱
６          立設基礎
７          止金具
８          アンカー
９          よじ登り防止板
10          網帯
11，11′    トラップ体
12          天蓋部材
13          取付ゲート
Fb，Fb′    フェンス体
Ｔ          側溝
【図１】
2005000175.tif 000003
【図２】
2005000175.tif 000004
【図３】
2005000175.tif 000005
【図４】
2005000175.tif 000006
【図５】
2005000175.tif 000007
【図６】
2005000175.tif 000008
【図７】
2005000175.tif 000009
【図８】
2005000175.tif 000010
【図９】
2005000175.tif 000011
【図１０】
2005000175.tif 000012
【図１１】
2005000175.tif 000013
【図１２】
2005000175.tif 000014
【図１３】
2005000175.tif 000015
【図１４】
2005000175.tif 000016